(57)【要約】【課題】電子ペンを使用するデータ入力システムを導入し、新しいシステムに移行する際には、従来の伝票を廃棄して新しい伝票に切り替えなければならなかった。【解決手段】前記課題を解決するために、情報記載面に電子ペンにより情報が記載されると、ペン先が置かれた近傍に印刷されたドットパターンが電子ペンに内蔵された撮像部で読み取られて送信部から外部通信装置に伝送されるデータ入力システムに使用される透明ラベルシートであって、前記透明ラベルシートの基材には赤外領域で反射率が低いインキによりドットパターンが印刷され、前記基材の情報記載面の逆側には粘着剤層が形成された透明ラベルシートを提供する。【選択図】  図１
2008191964.tif 000002
【特許請求の範囲】
【請求項１】
情報記載面に電子ペンにより情報が記載されると、ペン先が置かれた近傍に印刷されたドットパターンが電子ペンに内蔵された撮像部で読み取られて送信部から外部通信装置に伝送されるデータ入力システムに使用される透明ラベルシートであって、
前記透明ラベルシートの基材には赤外領域で反射率が低いインキによりドットパターンが印刷され、前記基材の情報記載面の逆側には粘着剤層が形成されたことを特徴とする透明ラベルシート。
【請求項２】
請求項１に記載の透明ラベルシートにおいて、
透明ラベルシートの基材、および、粘着剤層を構成する材料は、赤外領域で反射率が低い材料を含まないことを特徴とする透明ラベルシート。
【発明の詳細な説明】
【技術分野】
【０００１】
本発明は、通常の手書き入力用帳票の情報記載面に貼付し、電子ペンを使用するデータ入力システム用帳票とするための透明ラベルシートに関する。
【背景技術】
【０００２】
従来、申込書のような書類を提出する場合、所定の印刷が施された申込用紙に申込者が筆記具で必要事項を記入して提出していた。
近年、このような分野に対して、電子ペンを使用するデータ入力システムが提供されている。
このシステムは、スウェーデンの「Ａｎｏｔｏ社」が開発したデータ入力システムで、「アノトペン」と呼ばれる電子ペンと、所定のドットパターンが印刷された電子ペン書き込み専用用紙を使用することによって、記載された情報をその場で電子化し、通信装置に送信するものである。
電子ペンは、通常の筆記部と、筆記部によって透明ラベルシートに記載された情報を用紙の記載面に印刷されたドットパターン情報として読み取るための撮像部と、読み取ったドットパターン情報を送信するための通信部、その他を搭載している筆記具である。
記載者が電子ペン書き込み専用用紙の上に文字などを記載すると、ペンの移動に伴って電子ペンの撮像部が電子ペン書き込み専用用紙に印刷されたドットパターンを読み取り、記載者が記載した文字などの記載情報（入力情報）を電子情報として記憶する。
電子ペンが記憶した入力情報は、前記通信部により近くの通信装置に送信される。
電子ペンを使用する前述の入力システムは、電子ペンがキーボードの役割を果たすのであるが、記載者は、従来どおりの感覚で申し込み等を行うことができる。
【０００３】
前記「Ａｎｏｔｏ社」のデータ入力システムではドットパターンが印刷された電子ペン書き込み専用用紙が使用されるが、前記ドットパターンは、分野別に割り当てられて使用されている。
また、このシステムでは情報の入力を、電子ペンによる微細なドットパターン読み取りによって行われるために、ドットパターンの印刷品質や印刷される用紙の選定は厳密に行われる。
このような電子ペンを使用する媒体の出現で、従来の配送伝票の製造装置を利用して製造でき、かつ、電子ペンを利用し、記載した情報をサーバー等へ容易に取り込みが可能な「電子ペン用配送伝票」が提供されている（例えば、特許文献１参照）。
【０００４】
【特許文献１】特開２００４−１９５９３３号公報
【発明の開示】
【発明が解決しようとする課題】
【０００５】
特許文献１に記載の発明は、配送伝票の情報記載面に電子ペン読取り用のドットパターンと光学読取り可能な伝票コードを印刷しておき、電子ペンを介して受領情報等を収集するものである。
特許文献１に記載の発明の例でも、電子ペンを使用するデータ入力システム用帳票は、記載情報取得のためのドットパターンが帳票記載面に印刷されていることが必要不可欠である。そのために、電子ペンを使用するデータ入力システムを導入し、新しいシステムに移行する際には、従来の伝票を廃棄して新しい伝票に切り替えなければならなかった。
そこで、本発明は、新たに電子ペンを使用するデータ入力システムを立ち上げる際に、従来使用していた手書き入力用帳票をそのまま流用可能とした透明ラベルシートを提供することを目的とするものである。
【課題を解決するための手段】
【０００６】
前記課題の目的を達成するために、本発明の透明ラベルシートの第一の態様は、情報記載面に電子ペンにより情報が記載されると、ペン先が置かれた近傍に印刷されたドットパターンが電子ペンに内蔵された撮像部で読み取られて送信部から外部通信装置に伝送されるデータ入力システムに使用される透明ラベルシートであって、前記透明ラベルシートの基材には赤外領域で反射率が低いインキによりドットパターンが印刷され、前記基材の情報記載面の逆側には粘着剤層が形成されたことを特徴とするものである。
【０００７】
また、第二の態様は、第一の態様において、透明ラベルシートの基材、および、粘着剤層を構成する材料は、赤外領域で反射率が低い材料を含まないことを特徴とするものである。
【発明の効果】
【０００８】
１）第一の態様のように、情報記載面に電子ペンにより情報が記載されると、ペン先が置かれた近傍に印刷されたドットパターンが電子ペンに内蔵された撮像部で読み取られて送信部から外部通信装置に伝送されるデータ入力システムに使用される透明ラベルシートであって、前記透明ラベルシートの基材には赤外領域で反射率が低いインキによりドットパターンが印刷され、前記基材の情報記載面の逆側には粘着剤層が形成されたことによって、従来、電子ペンを使用する新しいデータ入力システムに移行する際には、従来の伝票を廃棄して新しい伝票に切り替えなければならなかったが、新たに電子ペンを使用するデータ入力システムを立ち上げた場合でも、本発明の透明ラベルシートを併用することによって従来使用していた手書き入力用帳票をそのまま流用することが可能になる。
２）また、第二の態様のように、第一の態様において、透明ラベルシート基材、および、粘着剤層を構成する材料は、赤外領域で反射率が低い材料を含まないことによって、電子ペンはドットパターンを確実に読み取ることができる。
【発明を実施するための最良の形態】
【０００９】
以下、図面を参照して、本発明の透明ラベルシートについて説明する。
図１は、電子ペンと本発明の透明ラベルシートの一例について説明するための図，図２は、図１のＡ−Ａ線断面の一例について説明するための図，図３は、電子ペンの一例について説明するための図，図４は、電子ペン読み取り専用のドットパターンの一例について説明するための図，である。
【００１０】
図１を参照して、電子ペンと本発明の透明ラベルシートの一例について説明する。
図１では、電子ペンを使用する前述の「Ａｎｏｔｏ社」のデータ入力システムの概要について併せて説明する。
図１に示す「変更届」用紙は、クレジットカード会社や、金融機関に登録している氏名や、住所が変更になった場合の届け出用紙の例である。
従来の「変更届」用紙（以下、従来用紙２という）の情報記載面には、電子ペンによる入力システム対応にはなっていないため、電子ペン読取り用のドットパターン４は印刷されていない。
従来用紙２には、「氏名」や、「住所」の変更を届け出するための欄が設けてある。
先ず、従来用紙２を電子ペンによる入力システム対応とするために、従来用紙２の情報記載面に、本発明の透明ラベルシート１を貼付する。
氏名が変更になった場合は、電子ペンを使用して「氏名」記載欄に、変更前の氏名を記載し、その右側に変更後の氏名を記載する。その際に氏名の後に（旧姓）等と記載する。
「氏名」欄に変更後の氏名を記載しない場合は、変更届の「変更理由など」の欄に変更後の氏名を変更理由とともに記載する。
住所が変更になった場合は、「住所（旧）」の欄に、登録してある住所情報を記載し、「住所（新）」の欄に変更後の住所情報を記載する。
また、図の右上の「日付情報」記載枠の中に日付情報を記載する。
【００１１】
透明ラベルシート１は、透明ラベルシート１の基材（以下、単に、基材という）の片面に形成された粘着剤層（図示せず）及び何れかの面に印刷されたドットパターン４で構成されている。
また、粘着剤及び基材は透明な材料で構成されているために、記載者は、粘着剤及び基材を介して従来用紙２に印刷された印刷図柄２１を視認することができる。
また、ドットパターン４が透明ラベルシート１の表出面側に印刷されている場合は、印刷されたドットパターンを保護するために最表面に保護層（図示せず）を形成することもできる。
また、電子ペンの撮像部からは赤外領域の光が照射されるために、粘着剤，基材，保護層に使用される材料には、赤外領域の光を吸収する物質を含まない材料が選定される。
【００１２】
ここで、図１を一部参照して、電子ペンと透明ラベルシートを使用するデータ入力システムの一例について説明する。
電子ペン５は、図示しないが、筆記部と、透明ラベルシート１の情報記載面に印刷されたドットパターン４を読み取るための撮像部と、通信部等を搭載している。
電子ペン５は、記載者が透明ラベルシート上に電子ペンで文字などを記載すると、ペンの移動に伴って電子ペンに内蔵された撮像部が、ドットパターン４によって表示されたストローク座標情報（以下、単に、座標情報という）を読み取り、通信部が、接続された通信装置に読み取った座標情報を送信する。
通信装置が受信した前記座標情報は、ネット上に接続された電子ペンシステム管理サーバに送信される。電子ペンシステム管理サーバは、テキストデータに変換された前記座標情報を利用者側のサーバや、前記通信装置に返信する。
通信装置内に電子ペンシステム管理サーバ機能が内蔵されている場合は、電子ペンシステム管理サーバ機能によってテキストデータに変換される。
【００１３】
次に、図３を参照して、電子ペン５について説明する。
電子ペン５は、インクカートリッジ５０８を伴った筆記部５０６，ドットパターンを読み取る投光部（図示せず）を伴ったデジタルカメラによる撮像部５０５，デジタルカメラで読み取られたドットパターンの座標情報による筆記情報を記憶する記憶部５０３，通信装置に前記座標情報を送信する通信部５０２，これらの機能を制御する制御部５０４，電子ペン用の圧力センサ５０７，図示しないが電源部，で構成され、これらを電子ペン５の筐体５０１の内部に搭載している。
電子ペン５は、透明ラベルシートに印刷されたドットパターン情報を撮像部５０５で読み取って記憶部５０３で記憶し、電子ペンのユニークな識別情報などと共に通信部５０２から通信装置に送信する。
通信部５０２は、ＵＳＢ（Ｕｎｉｖｅｒｓａｌ  Ｓｅｒｉａｌ  Ｂｕｓ）対応、または、Ｂｌｕｅｔｏｏｔｈ（Ｔｈｅ  Ｂｌｕｅｔｏｏｔｈ  ＳＩＧ，Ｉｎｃ．の登録商標）対応となっている。
また、電子ペン５の筐体５０１に組み込まれた筆記部５０６は、単なる筆記具として使用することもできるようになっている。
【００１４】
筆記部５０６は、筆記情報を可視状態で記載部に残す役割の他に、デジタルカメラによる撮像部５０５と、ドットパターン印刷面との距離を一定にする役割を担っている。
筆記部５０６が電子ペン筐体５０１に装着されたときに、インクカートリッジ５０８側の先端が、電子ペン筐体５０１に取り付けられた電子ペン用の圧力センサ５０７に接触するようになっている。
この圧力センサ５０７は、情報が記載され始めたことを制御部５０４に伝える機能と、筆圧の強弱を認識する機能を備えている。
また、インクカートリッジ５０８の残量を確認する場合、または、インクを充填する場合は、例えば、筆記部５０６を電子ペン筐体５０１の先端から引き抜いてインクの残量確認、または、インクの充填を行う。
【００１５】
図４を参照して、透明ラベルシートに印刷されたドットパターンについて説明する。
図に示す縦横の仮想線は、説明し易くするために記載しており、実際には印刷されているわけではない。
ドットパターンの各ドットは、０．３ｍｍ間隔で形成された、直角に交わる縦横の仮想線の交点近傍にそれぞれ異なる４方向の何れかに配置され、形成（印刷）されている。
前述の「Ａｎｏｔｏ社」のシステムでは、３６個のドット（約４ｍｍ2の内側に印刷されたドット群）を１単位情報として扱っている。
【００１６】
電子ペンで、透明ラベルシート上に文字等を記載すると、ペン先がその近傍に印刷されたドットパターンの座標情報を読み取って、ペン先が移動した単位情報の軌跡を電子ペンの記憶部に記憶するようになっている。
透明ラベルシートの所定部（送信マークともいう）を電子ペンでチェックすると、透明ラベルシートに記載した前記座標情報を電子ペンから通信装置に送信するようになっている。
「Ａｎｏｔｏ社」のシステムでは、一つのアプリケーションには、同一のドットパターンが利用されないように管理される。
【００１７】
図示しないが、前述の電子ペンシステム管理サーバについて説明する。
電子ペンシステム管理サーバは、多くの場合、ＰＬＳサーバと、ＡＳＨサーバに分けられて使用される。
通信装置から送信された座標情報は、まず、ＰＬＳ（Ｐａｐｅｒ  Ｌｏｏｋ−ｕｐ  Ｓｅｒｖｉｃｅ）と呼ばれる電子ペンシステム管理サーバに送信される。
ＰＬＳサーバは、受信したドットパターンの座標情報から、使用されているアプリケーションを割り出して、そのアプリケーション支援を行うＡＳＨ（Ａｐｐｌｉｃａｔｉｏｎ  Ｓｅｒｖｉｃｅ  Ｈａｎｄｌｅｒ）サーバのＵＲＬ（Ｕｎｉｆｏｒｍ  Ｒｅｓｏｕｒｃｅ  Ｌｏｃａｔｏｒ）と座標情報を通信装置に送信する。
【００１８】
図示しないが、前述の通信装置について説明する。
通信装置は、例えば、キーボードなどの入力手段，インターネットに接続されて入力情報を送受信する送受信手段，ディスプレイなどの表示手段，入力情報や読み込んだ情報を保存する保存手段とを有する携帯電話，ＰＤＡ（Ｐｅｒｓｏｎａｌ  Ｄｉｇｉｔａｌ  Ａｓｓｉｓｔａｎｃｅ），パーソナルコンピュータのような装置である。
通信装置は、前述のように、電子ペン５から送信された情報を電子ペンシステム管理サーバに送信し、テキストデータなどに変換された情報として受信する。
【００１９】
図２を参照して、図１のＡ−Ａ線断面の一例について説明する。
従来用紙２の片側には、文字，絵柄，罫線などによる印刷図柄２１が印刷されている。
また、従来用紙２の印刷図柄が印刷された側には、透明ラベルシート１が粘着剤層６を介して貼付されている。
基材１１の表出面側（粘着剤層６の逆面側）には、ドットパターン４が印刷されている。さらに、ドットパターン４の表面には電子ペンの筆記部による記載情報３が記載されている。
【００２０】
図示しないが、従来用紙が複写伝票形式の場合は、従来用紙２の裏側（粘着剤層が形成された逆の面）には複写のための材料が形成されたり、注意文言などが印刷される。
また、前述のように、ドットパターン４は、粘着剤６が形成されている側に印刷される場合もある。
また、図示しないが、図２のようにドットパターンが基材１１の表出面に印刷されている場合は、ドットパターン４を保護するために保護層を設ける場合もある。
【００２１】
（材料）
図２を参照して透明ラベルシートの材料の一例について説明する（但し、本発明の透明ラベルシートに使用される材料は下記に限定されるものではない）。
透明ラベルシート１の基材１１には、特に制限されるものではないが、例えば、ポリエチレンテレフタレート（ＰＥＴ），ナイロン，トリアセテート，ポリスチレン，ポリエチレン，ポリプロピレン，ポリイミド，ポリ塩化ビニル，ポリカーボネートなどのプラスチックなどを単独あるいは貼り合わせて使用する。
また、グラシン紙や、樹脂を含浸させた紙を使用しても良い。
また、粘着剤６としては、市販の粘着剤に微球を添加したもの（例えば、日本カーバイト社製Ｂ−７５８９）や、粘着剤に硬化剤を添加した２ＥＨＡ（２エチルヘキシルアクリレート）等のガラス転移温度が低いアクリル樹脂をエマルジョン化した「再剥離再貼付可能な粘着剤」や、酢酸ビニル樹脂，アクリル樹脂，酢酸ビニル−アクリル共重合体，ポリウレタン樹脂や、天然ゴムなどの市販の「強粘着型粘着剤」を製造設備に合せて適宜選択して使用する。
また、ドットパターン印刷インキとしては、例えば、波長９００ｎｍ領域で反射率が最も低いドットパターン印刷用インキ「ザ・インクテック（株）製、ＮＳインキ（酸化重合タイプ）、または、ＵＶＢＦＳＧインキ（紫外線硬化タイプ）」，その他から選択して使用する。これらの印刷インキは、黒カーボンインキ、または、赤外光を吸収する顔料を使用している。
また、プリンタ、例えば、「沖データ製  ＭＬ９６００ＰＳプリンタ」によりドットパターンを形成することもできる。印字トナーは、スチレン・アクリレート系共重合樹脂を主成分とする黒色のトナーを使用している。
【００２２】
前記透明ラベルシート１の基材１１，粘着剤６を使用する場合は（前述の保護層を設ける場合は、保護層も含めて）、赤外領域の光を吸収する材料を含有しないものを選定することが重要である。
また、従来用紙２も表面に赤外領域の光を吸収する材料が塗布されていないことを事前に確認することが必要である。
【００２３】
また、透明ラベルシートの使用方法として、電子ペンによる入力システムを実施する側が従来用紙の情報記載部分の大きさに合せて透明ラベルシートを作成し、従来用紙の情報記載面に貼付して使用場所に配布するか、電子ペンによる入力システムを使用する現場に透明ラベルシートを配布して、使用者に従来用紙に貼付させて使用させる二つの方法が有る。透明ラベルシートを用意する場合、前記いずれの場合も、透明ラベルシートの粘着剤を保護するために、粘着剤の表出面を市販の剥離紙等で被覆する。
【産業上の利用可能性】
【００２４】
本発明の透明ラベルシートは，電子ペンを使用しない旧システムから、電子ペンを使用する新システムに移行する過渡期に、記載媒体に貼付して使用する。
【図面の簡単な説明】
【００２５】
【図１】電子ペンと、本発明の透明ラベルシートの一例について説明するための図である。
【図２】図１のＡ−Ａ線断面の一例について説明するための図である。
【図３】電子ペンの一例について説明するための図である。
【図４】電子ペン読み取り専用のドットパターンの一例について説明するための図である。
【符号の説明】
【００２６】
１      透明ラベルシート
２      従来用紙
３      記載情報
４，４０  ドットパターン
５      電子ペン
６      粘着剤層または粘着剤
１１    基材
２１    印刷図柄
５０１  筐体
５０２  通信部
５０３  記憶部
５０４  制御部
５０５  撮像部
５０６  筆記部
５０７  圧力センサ
５０８  インクカートリッジ
【図１】
2008191964.tif 000003
【図２】
2008191964.tif 000004
【図３】
2008191964.tif 000005
【図４】
2008191964.tif 000006